(57)【特許請求の範囲】
【請求項１】
物体側から順に、正の屈折力の第１レンズ群Ｇ１と、負の屈折力の第２レンズ群Ｇ２と、開口絞りＳと、正の屈折力で開放絞りと一体になって動く第３レンズ群Ｇ３と、正の屈折力の第４レンズ群Ｇ４と、負の屈折力の第５レンズ群Ｇ５より構成され、
広角端から望遠端への変倍の際に前記各レンズ群がそれぞれ独立に物体側へ移動し、
前記第１レンズ群Ｇ１と前記第２レンズ群Ｇ２の間隔は増大し、
前記第２レンズ群Ｇ２と前記第３レンズ群Ｇ３の間隔は減少し、
前記第３レンズ群Ｇ３と前記第４レンズ群Ｇ４と前記第５レンズ群Ｇ５の間隔はそれぞれ変化し、
無限遠から近距離へのフォーカシングに際して第４レンズ群Ｇ４が光軸に沿って物体側へ移動し、
第５レンズ群Ｇ５は物体側から順に負の屈折力の第５Ａレンズ群Ｇ５Ａと正の屈折力の第５Ｂレンズ群Ｇ５Ｂから構成され、第５Ａレンズ群Ｇ５Ａが光軸と垂直方向に移動することで防振を行い、以下の条件式（１）及び（２）を満たすことを特徴とする大口径防振付
きズームレンズ。
（１）  ０．９＜ＥＸＰ／ＳI＜１．８
（２）  ０．６＜ｆ４／｜ｆ５Ａ｜＜１．３
ただし、
ＥＸＰ：広角端、無限遠合焦時の射出瞳から像面までの長さ（物体から像面への方向を正とする）
ＳI：広角端、無限遠合焦時の絞りから像面までの長さ
ｆ４：第４レンズ群Ｇ４の焦点距離
ｆ５Ａ：第５Ａレンズ群Ｇ５Ａの焦点距離
とする。
【請求項２】
前記第５Ａレンズ群Ｇ５Ａは２枚以内のレンズで構成され、以下の条件式（３）（４）（５）を満たすことを特徴とする請求項１に記載の大口径防振付きズームレンズ。
（３） ０．３＜｜（１−β５Ａ）βｒ｜＜０．９
（４） ０．３＜ＶＩ／ＳＩ＜０．８
（５） １．８＜Ｚ１ｗｔ／Ｚ５Ａｗｔ＜３．０
ただし、
β５Ａ：防振を担う第５Ａレンズ群Ｇ５Ａの広角端、無限遠合焦時の結像倍率
βｒ：第５Ａレンズ群Ｇ５Ａよりも像面側の群の広角端、無限遠合焦時の合成結像倍率
ＶＩ：第５Ａレンズ群Ｇ５Ａの最も像面側の面から像面までの広角端での長さ
Ｚ１ｗｔ：第１レンズ群Ｇ１の広角端から望遠端への変倍時の像面に対する移動量
Ｚ５Ａｗｔ：第５Ａレンズ群Ｇ５Ａの広角端から望遠端への変倍時の像面に対する移動量
とする。
【請求項３】
前記第１レンズ群Ｇ１は２枚以内のレンズで構成され、以下の条件式（６）を満たすことを特徴とする請求項１乃至２のいずれかに記載の大口径防振付きズームレンズ。
（６） ７．５＜ｆ１／｜ｆ２｜＜１５．０
ただし、
ｆ１：第１レンズ群Ｇ１の焦点距離
ｆ２：第２レンズ群Ｇ２の焦点距離
とする。
【請求項４】
前記第３レンズ群Ｇ３は少なくとも一つの３枚接合を含み、以下の条件式（７）を満たすことを特徴とする請求項１乃至３のいずれかに記載の大口径防振付きズームレンズ。
（７） １．６＜ｆ３／ｆｗ＜３．２
ただし、
ｆ３：第３レンズ群Ｇ３の焦点距離
ｆｗ：広角端、無限遠合焦時のレンズ系全体の焦点距離
とする。
【請求項５】
前記第４レンズ群Ｇ４は１枚のレンズからなり、少なくとも１面の非球面を有し、以下の条件式（８）を満たすことを特徴とする請求項１乃至４のいずれかに記載の大口径防振付きズームレンズ。
（８） ０．８＜ｆ４／ｆ３＜１．６
【発明の詳細な説明】
【技術分野】
【０００１】
本発明はデジタルカメラ、ビデオカメラなどに用いられる撮影レンズに好適な大口径防振付きズームレンズに関する。
【背景技術】
【０００２】
近年、レンズ交換式カメラとして従来の一眼レフレックスファインダーに代えて電子ビューファインダーを備えることによりクイックリターンミラーを廃止した、所謂ミラーレス一眼カメラが急速に普及している。ミラーレス一眼カメラはクイックリターンミラー及びその駆動機構、ペンタプリズム等が不要であり、従来の一眼レフレックスカメラと比べて大幅に小型化できるため人気がある。
【０００３】
一眼レフレックスカメラ用、またはミラーレス一眼カメラ用交換レンズとして、開放Ｆ値の明るい、所謂大口径ズームレンズはズームレンズの便利さと明るい開放Ｆ値という特徴を併せ持つことで人気がある。また、近年は望遠のみならず標準や広角のズームレンズへも防振機能の搭載が進んでおり、防振機能は撮影レンズにおいて標準的な機能となってきている。防振機能を搭載したズームレンズとして、例えば特許文献１及び特許文献２に記載された５群構成のズームレンズがある。特許文献１に記載されたズームレンズは、物体側から順に正の屈折力の第１レンズ群と、負の屈折力の第２レンズ群と、正の屈折力の第３レンズ群と、負の屈折力の第４レンズ群と、正の屈折力の第５レンズ群より構成され、広角端から望遠端への変倍時に各群が移動し、無限遠から至近へのフォーカシングに際して第２レンズ群が光軸に沿って物体側へ移動する構成となっている。また、特許文献２に記載されたズームレンズは、物体側から順に正の屈折力の第１レンズ群と、負の屈折力の第２レンズ群と、正の屈折力の第３レンズ群と、正の屈折力の第４レンズ群と、負の屈折力の第５レンズ群より構成され、広角端から望遠端への変倍時に各群が移動し、無限遠から至近へのフォーカシングに際して第４レンズ群が光軸に沿って物体側へ移動する構成となっている。
【先行技術文献】
【特許文献】
【０００４】
【特許文献１】特開２０１５−０５５８５８号公報
【特許文献２】特開２０１４−２３８５４９号公報
【発明の概要】
【発明が解決しようとする課題】
【０００５】
上記特許文献１，２のような５群構成のズームレンズは、変倍時の群移動の自由度が高くズーム全域で良好な結像性能を確保しやすい。しかし、特許文献１に記載のズームレンズでは第２群をフォーカス群として用いているが、ミラーレス一眼カメラ用交換レンズとしてはフォーカス群が重いという課題がある。ミラーレス一眼カメラのオートフォーカスはフォーカスレンズを微少駆動させてコントラストのピークを検出する、所謂コントラストＡＦを採用する場合が多い。そのため、高速で滑らかなコントラストＡＦを実現するためにはフォーカス群を十分に軽くする必要があるが、特許文献１に記載のズームレンズではフォーカス群が重いため高速で滑らかなコントラストＡＦを実現することは困難である。
【０００６】
特許文献２に記載のズームレンズでは第４群をフォーカス群として用いることでフォーカス群の軽量化を図っており、高速で滑らかなコントラストＡＦを実現可能である。しかしながら、特許文献２に記載の構成では周辺画角の光線の撮像素子への入射角が大きい。開放Ｆ値が明るい大口径ズームレンズだと光束が太くなるため、撮像素子への光線入射角が大きいと下光線側は入射角がきつくなりすぎて撮像素子の受光部でけられてしまう。そのため大口径ズームレンズには周辺画角の光線の撮像素子への入射角を小さく抑えることが求められる。
【０００７】
本発明はこのような状況に鑑みてなされたものであり、小型なまま撮像素子への光線入射角を抑制することで周辺光線のけられを少なくし、かつフォーカス群を軽量にすることで滑らかなコントラストＡＦを実現できる、撮影領域全体で収差変動が少なく、結像性能が良好な大口径防振付きズームレンズを提供することを目的とする。
【課題を解決するための手段】
【０００８】
前述の課題を解決するため第１の発明は、物体側から順に、正の屈折力の第１レンズ群Ｇ１と、負の屈折力の第２レンズ群Ｇ２と、開口絞りＳと、正の屈折力で開放絞りと一体になって動く第３レンズ群Ｇ３と、正の屈折力の第４レンズ群Ｇ４と、負の屈折力の第５レンズ群Ｇ５より構成され、広角端から望遠端への変倍の際に前記各レンズ群がそれぞれ独立に物体側へ移動し、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３と前記第４レンズ群Ｇ４と前記第５レンズ群Ｇ５の間隔はそれぞれ変化し、無限遠から近距離へのフォーカシングに際して第４レンズ群Ｇ４が光軸に沿って物体側へ移動し、第５レンズ群Ｇ５は物体側から順に負の屈折力の第５Ａレンズ群Ｇ５Ａと正の屈折力の第５Ｂレンズ群Ｇ５Ｂから構成され、第５Ａレンズ群Ｇ５Ａが光軸と垂直方向に移動することで防振を行い、以下の条件式（１）及び（２）を満たすことを特徴とする大口径防振付きズームレンズとした。
（１）  ０．９＜ＥＸＰ／ＳI＜１．８
（２）  ０．６＜ｆ４／｜ｆ５Ａ｜＜１．３
ただし、
ＥＸＰ：広角端、無限遠合焦時の射出瞳から像面までの長さ（物体から像面への方向を正とする）
ＳI：広角端、無限遠合焦時の絞りから像面までの長さ
ｆ４：第４レンズ群Ｇ４の焦点距離
ｆ５Ａ：第５Ａレンズ群Ｇ５Ａの焦点距離
【０００９】
第２の発明は、前記第５Ａレンズ群Ｇ５Ａは２枚以内のレンズで構成され、以下の条件式（３）（４）（５）を満たすことを特徴とする第１の発明に記載の大口径防振付きズームレンズとした。
（３） ０．３＜｜（１−β５Ａ）βｒ｜＜０．９
（４） ０．３＜ＶＩ／ＳＩ＜０．８
（５） １．８＜Ｚ１ｗｔ／Ｚ５Ａｗｔ＜３．０
ただし、
β５Ａ：防振を担う第５Ａレンズ群Ｇ５Ａの広角端、無限遠合焦時の結像倍率
βｒ：第５Ａレンズ群Ｇ５Ａよりも像面側の群の広角端、無限遠合焦時の合成結像倍率
ＶＩ：第５Ａレンズ群Ｇ５Ａの最も像面側の面から像面までの広角端での長さ
Ｚ１ｗｔ：第１レンズ群Ｇ１の広角端から望遠端への変倍時の像面に対する移動量
Ｚ５Ａｗｔ：第５Ａレンズ群Ｇ５Ａの広角端から望遠端への変倍時の像面に対する移動量
【００１０】
第３の発明は、前記第１レンズ群Ｇ１は２枚以内のレンズで構成され、以下の条件式（６）を満たすことを特徴とする第１の発明乃至第２の発明のいずれかに記載の大口径防振付きズームレンズとした。
（６） ７．５＜ｆ１／｜ｆ２｜＜１５．０
ただし、
ｆ１：第１レンズ群Ｇ１の焦点距離
ｆ２：第２レンズ群Ｇ２の焦点距離
【００１１】
第４の発明は、前記第３レンズ群Ｇ３は少なくとも一つの３枚接合を含み、以下の条件式（７）を満たすことを特徴とする第１の発明乃至第３の発明のいずれかに記載の大口径防振付きズームレンズとした。
（７） １．６＜ｆ３／ｆｗ＜３．２
ただし、
ｆ３：第３レンズ群Ｇ３の焦点距離
ｆｗ：広角端、無限遠合焦時のレンズ系全体の焦点距離
【００１２】
第５の発明は、前記第４レンズ群Ｇ４は１枚のレンズからなり、少なくとも１面の非球面を有し、以下の条件式（８）を満たすことを特徴とする第１の発明乃至第４の発明のいずれかに記載の大口径防振付きズームレンズとした。
（８） ０．８＜ｆ４／ｆ３＜１．６
【発明の効果】
【００１３】
本発明により、小型なまま撮像素子への光線入射角を抑制することで周辺光線のけられを少なくし、かつフォーカス群を軽量にすることで滑らかなコントラストＡＦを実現できる、撮影領域全体で収差変動が少なく、結像性能が良好な大口径防振付きズームレンズを提供することができる。
【図面の簡単な説明】
【００１４】
【図１】本発明の大口径防振付きズームレンズの実施例１に係るレンズ構成図である。
【図２】実施例１の大口径防振付きズームレンズの広角端、無限遠合焦時の縦収差図である。
【図３】実施例１の大口径防振付きズームレンズの広角端、無限遠合焦時の横収差図である。
【図４】実施例１の大口径防振付きズームレンズの広角端、無限遠合焦時に光軸が０．３°傾いた状態で防振を行った際の横収差図である。
【図５】実施例１の大口径防振付きズームレンズの広角端、撮影倍率１：４０における横収差図である。
【図６】実施例１の大口径防振付きズームレンズの中間、無限遠合焦時の縦収差図である。
【図７】実施例１の大口径防振付きズームレンズの中間、無限遠合焦時の横収差図である。
【図８】実施例１の大口径防振付きズームレンズの中間、無限遠合焦時に光軸が０．３°傾いた状態で防振を行った際の横収差図である。
【図９】実施例１の大口径防振付きズームレンズの中間、撮影倍率１：４０における横収差図である。
【図１０】実施例１の大口径防振付きズームレンズの望遠端、無限遠合焦時の縦収差図である。
【図１１】実施例１の大口径防振付きズームレンズの望遠端、無限遠合焦時の横収差図である。
【図１２】実施例１の大口径防振付きズームレンズの望遠端、無限遠合焦時に光軸が０．３°傾いた状態で防振を行った際の横収差図である。
【図１３】実施例１の大口径防振付きズームレンズの望遠端、撮影倍率１：４０における横収差図である。
【図１４】本発明の大口径防振付きズームレンズの実施例２に係るレンズ構成図である。
【図１５】実施例２の大口径防振付きズームレンズの広角端、無限遠合焦時の縦収差図である。
【図１６】実施例２の大口径防振付きズームレンズの広角端、無限遠合焦時の横収差図である。
【図１７】実施例２の大口径防振付きズームレンズの広角端、無限遠合焦時に光軸が０．３°傾いた状態で防振を行った際の横収差図である。
【図１８】実施例２の大口径防振付きズームレンズの広角端、撮影倍率１：４０における横収差図である。
【図１９】実施例２の大口径防振付きズームレンズの中間、無限遠合焦時の縦収差図である。
【図２０】実施例２の大口径防振付きズームレンズの中間、無限遠合焦時の横収差図である。
【図２１】実施例２の大口径防振付きズームレンズの中間、無限遠合焦時に光軸が０．３°傾いた状態で防振を行った際の横収差図である。
【図２２】実施例２の大口径防振付きズームレンズの中間、撮影倍率１：４０における横収差図である。
【図２３】実施例２の大口径防振付きズームレンズの望遠端、無限遠合焦時の縦収差図である。
【図２４】実施例２の大口径防振付きズームレンズの望遠端、無限遠合焦時の横収差図である。
【図２５】実施例２の大口径防振付きズームレンズの望遠端、無限遠合焦時に光軸が０．３°傾いた状態で防振を行った際の横収差図である。
【図２６】実施例２の大口径防振付きズームレンズの望遠端、撮影倍率１：４０における横収差図である。
【図２７】本発明の大口径防振付きズームレンズの実施例３に係るレンズ構成図である。
【図２８】実施例３の大口径防振付きズームレンズの広角端、無限遠合焦時の縦収差図である。
【図２９】実施例３の大口径防振付きズームレンズの広角端、無限遠合焦時の横収差図である。
【図３０】実施例３の大口径防振付きズームレンズの広角端、無限遠合焦時に光軸が０．３°傾いた状態で防振を行った際の横収差図である。
【図３１】実施例３の大口径防振付きズームレンズの広角端、撮影倍率１：４０における横収差図である。
【図３２】実施例３の大口径防振付きズームレンズの中間、無限遠合焦時の縦収差図である。
【図３３】実施例３の大口径防振付きズームレンズの中間、無限遠合焦時の横収差図である。
【図３４】実施例３の大口径防振付きズームレンズの中間、無限遠合焦時に光軸が０．３°傾いた状態で防振を行った際の横収差図である。
【図３５】実施例３の大口径防振付きズームレンズの中間、撮影倍率１：４０における横収差図である。
【図３６】実施例３の大口径防振付きズームレンズの望遠端、無限遠合焦時の縦収差図である。
【図３７】実施例３の大口径防振付きズームレンズの望遠端、無限遠合焦時の横収差図である。
【図３８】実施例３の大口径防振付きズームレンズの望遠端、無限遠合焦時に光軸が０．３°傾いた状態で防振を行った際の横収差図である。
【図３９】実施例３の大口径防振付きズームレンズの望遠端、撮影倍率１：４０における横収差図である。
【図４０】本発明の大口径防振付きズームレンズの実施例４に係るレンズ構成図である。
【図４１】実施例４の大口径防振付きズームレンズの広角端、無限遠合焦時の縦収差図である。
【図４２】実施例４の大口径防振付きズームレンズの広角端、無限遠合焦時の横収差図である。
【図４３】実施例４の大口径防振付きズームレンズの広角端、無限遠合焦時に光軸が０．３°傾いた状態で防振を行った際の横収差図である。
【図４４】実施例４の大口径防振付きズームレンズの広角端、撮影倍率１：４０における横収差図である。
【図４５】実施例４の大口径防振付きズームレンズの中間、無限遠合焦時の縦収差図である。
【図４６】実施例４の大口径防振付きズームレンズの中間、無限遠合焦時の横収差図である。
【図４７】実施例４の大口径防振付きズームレンズの中間、無限遠合焦時に光軸が０．３°傾いた状態で防振を行った際の横収差図である。
【図４８】実施例４の大口径防振付きズームレンズの中間、撮影倍率１：４０における横収差図である。
【図４９】実施例４の大口径防振付きズームレンズの望遠端、無限遠合焦時の縦収差図である。
【図５０】実施例４の大口径防振付きズームレンズの望遠端、無限遠合焦時の横収差図である。
【図５１】実施例４の大口径防振付きズームレンズの望遠端、無限遠合焦時に光軸が０．３°傾いた状態で防振を行った際の横収差図である。
【図５２】実施例４の大口径防振付きズームレンズの望遠端、撮影倍率１：４０における横収差図である。
【発明を実施するための形態】
【００１５】
本発明の大口径防振付きズームレンズは、図１、図１４、図２７、及び図４０に示すレンズ構成図からわかるように、物体側から順に、正の屈折力の第１レンズ群Ｇ１と、負の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５より構成され、無限遠から近距離へのフォーカシングに際して第４レンズ群Ｇ４が光軸に沿って物体側へ移動する構成となっている。
【００１６】
また、第５レンズ群Ｇ５は物体側から順に負の屈折力の第５Ａレンズ群Ｇ５Ａと正の屈折力の第５Ｂレンズ群Ｇ５Ｂから構成され、第５Ａレンズ群Ｇ５Ａが光軸と垂直方向に移動することで防振を行う。
【００１７】
広角端から望遠端への変倍に際しては、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３、前記第４レンズ群Ｇ４、前記第５レンズ群Ｇ５がそれぞれ独立に物体側へ移動する構成となっている。
【００１８】
上記のように正の屈折力の第１レンズ群Ｇ１、負の屈折力の第２レンズ群Ｇ２、正の屈折力の第３レンズ群Ｇ３を含む構成にすることにより、主に１群から２群と２群から３群の群間隔の変化で変倍させることが可能となり、３群よりも像面側の群でフォーカス及び防振を行うことでフォーカス群及び防振群の変倍負担を減らし、各フォーカス・防振状態において良好な結像性能を実現できる。また、負の屈折力の第５レンズ群Ｇ５を負の屈折力の第５Ａレンズ群Ｇ５Ａと正の屈折力の第５Ｂレンズ群Ｇ５Ｂで構成することにより、防振を担う負の屈折力の第５Ａレンズ群Ｇ５Ａで跳ね上げられた周辺画角の光線を正の屈折力の第５Ｂレンズ群Ｇ５Ｂで像面への入射角が小さくなる方向に屈折させ、第５レンズ群Ｇ５全体での光線の跳ね上げ効果を弱めて撮像素子への周辺画角の光線入射角を小さく抑えることが可能になり、光束が太い大口径レンズでも周辺画角の光線が撮像素子の受光部でけられにくいという利点がある。
【００１９】
上記構成において高性能な大口径防振付きズームレンズを実現するためには以下の条件式（１）、（２）を満足することが望ましい。
（１） ０．９＜ＥＸＰ／ＳI＜１．８
（２） ０．６＜ｆ４／｜ｆ５Ａ｜＜１．３
ただし、
ＥＸＰ：広角端、無限遠合焦時の射出瞳から像面までの長さ（物体から像面への方向を正とする）
ＳI：広角端、無限遠合焦時の絞りから像面までの長さ
ｆ４：第４レンズ群Ｇ４の焦点距離
ｆ５Ａ：第５Ａレンズ群Ｇ５Ａの焦点距離
とする。
【００２０】
条件式（１）は、広角端における射出瞳から像面までの長さと、絞りから像面までの長さの比に関して、撮像素子への周辺画角の光線入射角を抑制するための好ましい範囲を規定するものである。条件式（１）を満たすことにより、小型な光学系のまま撮像素子の受光部で光線がけられないように撮像素子への光線入射角を適切に設定することができる。
【００２１】
条件式（１）の下限を超え、絞りに対して射出瞳が像面に近づくと、絞りより像面側の群全体では絞りを通過した周辺画角の光線を跳ね上げる作用が強まり、周辺画角の光線の像面への入射角がきつくなって特に光束の太い大口径レンズだと撮像素子の受光部で光線がけられやすくなる。
【００２２】
一方、条件式（１）の上限を超え、射出瞳が絞りに対して像面から遠くなると、絞りより像面側の光学系の正の屈折力が強まり、テレセントリック性が高まるため、像面への入射角が緩くなる。そのため第５レンズ群Ｇ５を通過する周辺画角の光線が高い位置を通るようになってレンズ径が肥大化し、レンズ系全体が大きく、重くなる。一方、第５レンズ群Ｇ５のレンズ径を小さくするには、第５レンズ群Ｇ５を像面から離せばよいが、光学系全体の全長を小さくしながら前記手法を行うと、絞りと第５レンズ群Ｇ５の間の第３レンズ群Ｇ３及び第４レンズ群Ｇ４が配置される部分の間隔が狭くなる。そのため第３レンズ群Ｇ３に使用できるレンズ枚数が減って十分な軸上色収差補正が行えなくなるほか、第４レンズ群Ｇ４がフォーカス移動する空間が狭くなるため十分な最短撮影距離を確保することが困難になる。
【００２３】
また、上述した条件式（１）について、その下限値を０．９５に、また、上限値を１．５に限定することで、前述の効果をより確実にできるため、望ましい。
【００２４】
条件式（２）は、フォーカスを担う第４レンズ群Ｇ４と防振を担う第５Ａレンズ群Ｇ５Ａの焦点距離比の好ましい範囲を規定するものである。条件式（２）を満たすことで小型な光学系のまま撮像素子の受光部で光線がけられないように撮像素子への光線入射角を適切に設定することができる。
【００２５】
条件式（２）の下限を超え、第４レンズ群Ｇ４の正の屈折力が強まると、周辺画角の光線を像面への入射角が小さくなる方向に屈折させる作用が強まり、一方で第５Ａレンズ群Ｇ５Ａの負の屈折力が弱まると周辺画角の光線の跳ね上げ効果が弱くなる。そのため第４レンズ群Ｇ４と第５Ａレンズ群Ｇ５Ａの合成系としては正の屈折力が強くなり、テレセントリック性が高まるため第４レンズ群Ｇ４及び第５Ａレンズ群Ｇ５Ａを通過する周辺画角の光線が高い位置を通るようになり、第４レンズ群Ｇ４及び第５Ａレンズ群Ｇ５Ａの径が肥大化して軽量化が困難になる。
【００２６】
一方、条件式（２）の上限を超え、第４レンズ群Ｇ４の正の屈折力が弱まると、周辺画角の光線を像面への入射角が小さくなる方向に屈折させる作用が弱まり、一方で第５Ａレンズ群Ｇ５Ａの負の屈折力が強まって周辺画角の光線の跳ね上げ効果が強くなる。そのため第４レンズ群Ｇ４と第５Ａレンズ群Ｇ５Ａの合成系としては周辺画角の光線の跳ね上げ効果が強まって像面への入射角がきつくなりすぎるため、特に光束の太い大口径レンズだと撮像素子の受光部で光線がけられやすくなる。
【００２７】
また、上述した条件式（２）について、その下限値を０．７に、また、上限値を１．２に限定することで、前述の効果をより確実にできるため望ましい。
【００２８】
さらに本発明の大口径防振付きズームレンズでは、防振を担う第５Ａレンズ群Ｇ５Ａを２枚以内のレンズで構成することが望ましい。これにより防振群を軽くし、防振群を動かすためのユニットを小型化することでレンズ系全体の小型化が可能になる。
【００２９】
本発明の大口径防振付きズームレンズでは、以下に示す条件式（３）および（４）、（５）を満たすことが望ましい。
（３） ０．３＜｜（１−β５Ａ）βｒ｜＜０．９
（４） ０．３＜ＶＩ／ＳＩ＜０．８
（５） １．８＜Ｚ１ｗｔ／Ｚ５Ａｗｔ＜３．０
ただし、
β５Ａ：防振を担う第５Ａレンズ群Ｇ５Ａの広角端、無限遠合焦時の結像倍率
βｒ：第５Ａレンズ群Ｇ５Ａよりも像面側の群の広角端、無限遠合焦時の合成結像倍率
ＶＩ：第５Ａレンズ群Ｇ５Ａの最も像面側の面から像面までの広角端での長さ
Ｚ１ｗｔ：第１レンズ群Ｇ１の広角端から望遠端への変倍時の像面に対する移動量
Ｚ５Ａｗｔ：第５Ａレンズ群Ｇ５Ａの広角端から望遠端への変倍時の像面に対する移動量
とする。
【００３０】
条件式（３）は防振係数の絶対値を表しており、その好ましい条件を規定するものである。条件式（３）を満たすことにより、防振群の肥大化を防ぎつつ良好な防振性能を確保できる。
【００３１】
条件式（３）の下限を超え、防振係数の絶対値が小さくなると防振群の単位移動量あたりの防振効果が小さくなるため、所望の防振効果を得るには防振群の移動量が多くなり、防振群である第５Ａレンズ群Ｇ５Ａのレンズ径が肥大化する。
【００３２】
一方、条件式（３）の上限を超え、防振係数の絶対値が大きくなると防振群の屈折力が強すぎて偏芯コマ収差が発生しやすくなる。特に大口径ズームレンズの場合、防振群を通過する軸上光束が太いために偏芯コマ収差の影響を受けやすく、良好な防振性能を確保することが困難になる。また、防振を行う際の防振群の光軸と垂直方向の移動量が少なくなり、防振群の移動量の正確な制御が困難になる。
【００３３】
また、上述した条件式（３）について、その下限値を０．５に、また、上限値を０．７５に限定することで、前述の効果をより確実にできるため望ましい。
【００３４】
条件式（４）は防振を担う第５Ａレンズ群Ｇ５Ａの像面からの距離に関して好ましい条件を規定するものである。条件式（４）を満たすことにより、防振群の肥大化を防ぎつつ良好な防振性能を確保できる。
【００３５】
条件式（４）の下限を超え、防振群が絞りから遠ざかって像面に近くなると防振群における周辺画角の光線通過位置が高くなり、第５Ａレンズ群Ｇ５Ａのレンズ径が肥大化する。
【００３６】
一方、条件式（４）の上限を超え、防振群が絞りに近くなると防振群における軸上マージナル光線が高くなり、偏芯コマ収差が発生しやすくなる。特に大口径ズームレンズの場合、軸上光束が太いために偏芯コマ収差の影響を受けやすく、良好な防振性能を確保するのが困難になる。
【００３７】
また、上述した条件式（４）について、その下限値を０．４に、また、上限値を０．７に限定することで、前述の効果をより確実にできるため望ましい。
【００３８】
条件式（５）は第１レンズ群Ｇ１と第５Ａレンズ群Ｇ５Ａの広角端から望遠端への変倍時の像面に対する移動量の比に関して好ましい条件を規定するものである。条件式（５）を満たすことにより小型な光学系のままズーム全域で良好な結像性能を実現できる。
【００３９】
本願のような正群先行型ズームレンズでは、１群から２群と２群から３群の群間隔の変化が主な変倍作用を担い、第４レンズ群Ｇ４及び第５レンズ群Ｇ５は変倍において補助的な役割を担っている。条件式（５）の下限を超え、第１レンズ群Ｇ１の移動量が少なくなると、１群から２群の群間隔の変倍負担が減って２群から３群の群間隔に変倍負担が偏り、２群、３群でコマ収差が発生しやすくなる。一方、第５Ａレンズ群Ｇ５Ａの移動量は大きくなるため第５Ａレンズ群Ｇ５Ａの変倍負担が強まり、軸上マージナル光線が高くなり、防振時に偏芯コマ収差が発生して良好な防振性能の実現が困難である。また絞り径も増大するため、製品外径を小さくすることが困難になる。
【００４０】
一方、条件式（５）の上限を超え、第１レンズ群Ｇ１の移動量が増加すると、径が大型化する。一方第５Ａレンズ群Ｇ５Ａの移動量が少なくなると、１群から２群及び２群から３群の群間隔の変化による変倍を補助する役割が弱まるため、第２レンズ群Ｇ２及び第３レンズ群Ｇ３の変倍負担が強まりコマ収差の抑制が難しくなる。また、望遠端で第５Ａレンズ群Ｇ５Ａが像面に近くなるため、周辺画角の光線通過位置が高くなり第５Ａレンズ群Ｇ５Ａの径が肥大化する。
【００４１】
また、上述した条件式（５）について、その下限値を１．８５に、また、上限値を２．５に限定することで、前述の効果をより確実にできるため望ましい。
【００４２】
さらに本発明の大口径防振付きズームレンズでは、第１レンズ群Ｇ１を２枚以内のレンズで構成することが望ましい。これにより径の大きい第１レンズ群Ｇ１の構成枚数を抑えてレンズ系全体の軽量化が可能になる。
【００４３】
本発明の大口径防振付きズームレンズでは、以下に示す条件式（６）を満たすことが望ましい。
（６） ７．５＜ｆ１／｜ｆ２｜＜１５．０
ただし、
ｆ１：第１レンズ群Ｇ１の焦点距離
ｆ２：第２レンズ群Ｇ２の焦点距離
とする。
【００４４】
条件式（６）は第１レンズ群Ｇ１と第２レンズ群Ｇ２の焦点距離の比に関して好ましい条件を規定するものである。条件式（６）を満たすことで系を小型軽量化しつつズーム全域で良好な結像性能を実現することができる。
【００４５】
条件式（６）の下限を超え、第１レンズ群Ｇ１の屈折力が強まると、第１レンズ群Ｇ１で発生する収差量が増える。そのため第１レンズ群Ｇ１枚数を２枚以内に制限すると第１レンズ群Ｇ１で発生する非点収差や歪曲収差を抑えきれず、第１レンズ群Ｇ１枚数を２枚以内に抑えての軽量化が困難になる。また、第１レンズ群Ｇ１の正の屈折力が強まり、あるいは第２レンズ群Ｇ２の負の屈折力が弱まると入射瞳が像面側へ移動し周辺画角の下光線がけられやすくなるため、周辺光量の確保が困難になる。
【００４６】
一方、条件式（６）の上限を超え、第２レンズ群Ｇ２に対し第１レンズ群Ｇ１の屈折力が弱まると、広角端から望遠端への変倍時の第２レンズ群Ｇ２に対する第１レンズ群Ｇ１の移動量が大きくなり、光学系の小型化が困難になる。また、第２レンズ群Ｇ２の屈折力が強まって非点収差やコマ収差の抑制が困難になる。
【００４７】
また、上述した条件式（６）について、その下限値を８．０に、また、上限値を１２．０に限定することで、前述の効果をより確実にできるため望ましい。
【００４８】
さらに本発明の大口径防振付きズームレンズでは、第３レンズ群Ｇ３は少なくとも１つの３枚接合を含むことが望ましい。これにより本願のような正群先行型ズームの絞り後方の群の製造誤差に対する敏感度を抑えつつ軸上色収差などの補正を行うことができる。特に大口径ズームレンズの偏芯敏感度を３枚接合で抑えることが可能となる。
【００４９】
本発明の大口径防振付きズームレンズでは、以下に示す条件式（７）を満たすことが望ましい。
（７） １．６＜ｆ３／ｆｗ＜３．２
ただし、
ｆ３：第３レンズ群Ｇ３の焦点距離
ｆｗ：広角端、無限遠合焦時のレンズ系全体の焦点距離
とする。
【００５０】
条件式（７）は第３レンズ群Ｇ３と広角端でのレンズ系全体の焦点距離の比に関して好ましい条件を規定するものである。条件式（７）を満たすことにより小型で且つ製造誤差に対する敏感度の抑えられた光学系を実現できる。
【００５１】
条件式（７）の下限を超え、第３レンズ群Ｇ３の屈折力が強まると、球面収差やコマ収差の収差負担が増え、特に大口径ズームレンズだと製造誤差に対する敏感度が著しく悪化する。
【００５２】
一方、条件式（７）の上限を超え、第３レンズ群Ｇ３の正の屈折力が弱まると、第３レンズ群Ｇ３の光束の集束作用が弱くなるため、第３レンズ群Ｇ３よりも像面側の群の径が大きくなる。
【００５３】
また、上述した条件式（７）について、その下限値を１．７に、また、上限値を２．５に限定することで、前述の効果をより確実にできるため望ましい。
【００５４】
さらに本発明の大口径防振付きズームレンズでは、フォーカス群である第４レンズ群Ｇ４を１枚の正レンズで構成し、少なくとも１面の非球面を有することが望ましい。これによりフォーカス群を軽量化しつつ収差の発生を抑え、無限遠から最至近距離までの撮影距離全域において良好な結像性能を実現できる。
【００５５】
本発明の大口径防振付きズームレンズでは、以下に示す条件式（８）を満たすことが望ましい。
（８） ０．８＜ｆ４／ｆ３＜１．６
【００５６】
条件式（８）は第３レンズ群Ｇ３と第４レンズ群Ｇ４の焦点距離の比に関して好ましい条件を規定するものである。条件式（８）を満たすことにより、小型な光学系のままフォーカス時の収差変動を抑え、撮影距離全域で良好な結像性能を実現できる。
【００５７】
条件式（８）の下限を超え、第３レンズ群Ｇ３の屈折力が弱まると、第３レンズ群Ｇ３を通過する周辺画角の上光線を屈折させる作用が弱まるため第４レンズ群Ｇ４における周辺画角の上光線高が高くなる。一方で第４レンズ群Ｇ４の屈折力が強まるため、フォーカス時の上光線フレアの変動が増え、撮影距離全域で結像性能を良好に保つことが困難になる。
【００５８】
一方、条件式（８）の上限を超え、第４レンズ群Ｇ４の屈折力が弱まるとフォーカス移動量が大きくなり、レンズ系の小型化が困難になる。また第３レンズ群Ｇ３の屈折力が強まると第４レンズ群Ｇ４へ入射する軸上光束の集束作用が強まるため、フォーカス時に第４レンズ群Ｇ４が光軸に沿って移動するときの第４レンズ群Ｇ４における軸上マージナル光線の高さ変動が大きくなり、フォーカス時の球面収差変動が増えて撮影距離全域で結像性能を良好に保つことが困難になる。
【００５９】
また、上述した条件式（８）について、その下限値を１．０に、また、上限値を１．５に限定することで、前述の効果をより確実にできるため望ましい。
【００６０】
次に、本発明の大口径防振付ズームレンズに係る各実施例のレンズ構成と具体的な数値データについて説明する。尚、以下の説明ではレンズ構成を物体側から像側の順番で記載する。
【００６１】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。またＢＦはバックフォーカスを表す。
【００６２】
面番号を付した（開口絞り）には、平面または開口絞りに対する曲率半径∞（無限大）を記入している。
【００６３】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０次の非球面係数をそれぞれＡ４、Ａ６、Ａ８、Ａ１０、と置くとき、非球面の座標が以下の式で表わされるものとする。
0006707987.tif 000002
【００６４】
［各種データ］には、焦点距離等の値を示している。
【００６５】
［可変間隔データ］には、各撮影距離状態における可変間隔及びＢＦ（バックフォーカス）の値を示している。
【００６６】
［レンズ群データ］には、各レンズ群を構成する最も物体側の面番号及び群全体の合成焦点距離を示している。
【００６７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６８】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００６９】
さらに図１、１４、２７、４０に示すレンズ構成図において、Ｓは開口絞り、Ｉは像面、Ｆはカメラ内フィルター、中心を通る一点鎖線は光軸である。
【実施例１】
【００７０】
図１は、本発明の実施例１の大口径防振付きズームレンズのレンズ構成図である。
【００７１】
第１レンズ群Ｇ１は、物体側に凸面を向けた負メニスカスレンズＬ１１と物体側に凸面を向けた正メニスカスレンズＬ１２とから成る接合レンズで構成されており、全体として正の屈折力を有している。
【００７２】
第２レンズ群Ｇ２は、物体側に凸面を向けた負メニスカスレンズＬ２１と、両凹形状の負レンズＬ２２と両凸形状の正レンズＬ２３とから成る接合レンズと、物体側に凹面を向けた負メニスカスレンズＬ２４とで構成されており、全体として負の屈折力を有している。また、負メニスカスレンズＬ２１は両面が所定の非球面形状となっている。
【００７３】
第３レンズ群Ｇ３は、開口絞りＳと、両凸形状の正レンズＬ３１と、物体側に凹面を向けた正メニスカスレンズＬ３２と両凹形状の負レンズＬ３３と両凸形状の正レンズＬ３４とから成る３枚接合レンズとで構成されており、全体として正の屈折力を有している。また、正レンズＬ３１の像面側の面は所定の非球面形状となっている。
【００７４】
第４レンズ群Ｇ４は、両凸形状の正レンズＬ４１で構成され、全体として正の屈折力を有しており、無限遠方から至近へのフォーカシングに際し、光軸に沿って物体側に向かって移動する。また、正レンズＬ４１の物体側の面は所定の非球面形状となっている。
【００７５】
第５レンズ群Ｇ５は、物体側から順に負の屈折力の第５Ａレンズ群Ｇ５Ａと正の屈折力の第５Ｂレンズ群Ｇ５Ｂから構成されており、全体として負の屈折力を有している。第５Ａレンズ群Ｇ５Ａは、両凸形状の正レンズＬ５１と両凹形状の負レンズＬ５２とから成る接合レンズで構成され、全体として負の屈折力を有しており、光軸と垂直な方向に移動させることにより防振を行う。第５Ｂレンズ群Ｇ５Ｂは、両凸形状の正レンズＬ５３と、両凹形状の負レンズＬ５４と、両凸形状の正レンズＬ５５と物体側に凹面を向けた負メニスカスレンズＬ５６とから成る接合レンズで構成されており、全体として正の屈折力を有している。
【００７６】
また、広角端から望遠端への変倍に際しては、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３、前記第４レンズ群Ｇ４、前記第５レンズ群Ｇ５がそれぞれ独立に物体側へ移動する構成となっている。
【００７７】
続いて、以下に実施例１に係る大口径防振付きズームレンズの諸元値を示す。
数値実施例１
単位：mm
[面データ]
面番号            r              d         nd        vd     有効半径
物面                  ∞       (d0)
1              71.6005     1.5000    1.80809     22.76   31.66
2              50.4155    11.5789    1.72916     54.67   30.10
3             292.7739       (d3)                        29.06
4*              55.5305     1.0000    1.69350     53.20   15.42
5*              12.9559     8.6633                        11.20
6             -34.0493     1.0974    1.58913     61.25   10.80
7              17.4487     6.0004    1.80518     25.46    9.88
8             -71.6329     3.7052                         9.39
9             -23.2645     1.0006    1.84666     23.78    8.00
10             -54.5604      (d10)                         8.35
11（絞り）               ∞     2.0000                         6.77
12              37.1499     2.9318    1.74330     49.33    9.75
13*           -208.9382     4.7416                         9.81
14            -188.7833     3.3269    1.77250     49.62   10.18
15             -27.5356     1.0000    1.80610     33.27   10.29
16              37.0997     6.2207    1.45860     90.19   10.68
17             -22.4562      (d17)                        11.26
18*             47.7938     3.4338    1.74330     49.33   11.37
19             -82.5177      (d19)                        11.32
20            1347.8701     2.2000    1.80518     25.46    9.90
21             -83.7246     0.8000    1.83481     42.72    9.88
22              39.0609     3.4846                         9.86
23             238.7980     3.3198    1.55032     75.50   10.40
24             -39.0995     0.1500                        10.60
25            -154.0686     3.3884    1.91082     35.25   10.65
26              36.9328     0.6546                        10.95
27              30.5270     7.5025    1.72342     37.99   11.52
28             -20.3426     1.0000    1.88300     40.80   11.59
29            -112.7180    12.9957                        11.99
30                   ∞     2.0000    1.51680     64.20   13.29
31                   ∞       (BF)
[非球面データ]
4面            5面           13面           18面
K                0.0000         0.0000         0.0000         0.0000
A4           9.25593E-07   -1.05509E-05    1.56497E-05   -4.50424E-06
A6           1.10198E-08   -2.34869E-08   -3.02654E-09    9.76031E-09
A8          -3.48268E-12   -2.35618E-10    8.19302E-11   -7.55329E-11
A10          8.26137E-15    0.00000E+00   -3.50870E-13    2.79728E-13
[各種データ]
ズーム比              2.76
広角           中間           望遠
焦点距離             17.55          35.00          48.47
Fナンバー             2.92           2.92           2.92
全画角2ω            81.42          44.59          32.32
像高Y              13.49          14.20          14.20
レンズ全長           126.29         145.53         166.99
[可変間隔データ]
[無限遠]
広角           中間           望遠      
d0                   ∞             ∞             ∞
d3               1.0000        17.4259        35.6210
d10             16.4956         3.0964         1.0000
d17              5.3804         5.8613         6.6021
d19              6.7217         6.7419         5.5707
BF               1.0000        16.7064        22.4957
[４０倍距離]
広角           中間           望遠
d0             673.9812      1351.1445      1850.5541
d3               1.0000        17.4259        35.6210
d10             16.4956         3.0964         1.0000
d17              5.1239         5.4788         6.1129
d19              6.9783         7.1244         6.0599
BF               1.0000        16.7064        22.4957
[レンズ群データ]
群            始面         焦点距離
G1              1               134.58
G2              4               -15.85
G3             11                37.20
G4             18                41.18
G5A            20               -47.37
G5B            23               103.16
【実施例２】
【００７８】
図１４は、本発明の実施例２の大口径防振付きズームレンズのレンズ構成図である。
【００７９】
第１レンズ群Ｇ１は、物体側に凸面を向けた負メニスカスレンズＬ１１と物体側に凸面を向けた正メニスカスレンズＬ１２とから成る接合レンズで構成されており、全体として正の屈折力を有している。
【００８０】
第２レンズ群Ｇ２は、物体側に凸面を向けた負メニスカスレンズＬ２１と、両凹形状の負レンズＬ２２と両凸形状の正レンズＬ２３とから成る接合レンズと、物体側に凹面を向けた負メニスカスレンズＬ２４とで構成されており、全体として負の屈折力を有している。また、負メニスカスレンズＬ２１は両面が所定の非球面形状となっている。
【００８１】
第３レンズ群Ｇ３は、開口絞りＳと、物体側に凸面を向けた負メニスカスレンズＬ３１と両凸形状の正レンズＬ３２とから成る接合レンズと、物体側に凹面を向けた正メニスカスレンズＬ３３と両凹形状の負レンズＬ３４と両凸形状の正レンズＬ３５とから成る３枚接合レンズとで構成されており、全体として正の屈折力を有している。また、正レンズＬ３２の像面側の面は所定の非球面形状となっている。
【００８２】
第４レンズ群Ｇ４は、両凸形状の正レンズＬ４１で構成され、全体として正の屈折力を有しており、無限遠方から至近へのフォーカシングに際し、光軸に沿って物体側に向かって移動する。また、正レンズＬ４１の物体側の面は所定の非球面形状となっている。
【００８３】
第５レンズ群Ｇ５は、物体側から順に負の屈折力の第５Ａレンズ群Ｇ５Ａと正の屈折力の第５Ｂレンズ群Ｇ５Ｂから構成されており、全体として負の屈折力を有している。第５Ａレンズ群Ｇ５Ａは、両凸形状の正レンズＬ５１と両凹形状の負レンズＬ５２とから成る接合レンズで構成され、全体として負の屈折力を有しており、光軸と垂直な方向に移動させることにより防振を行う。第５Ｂレンズ群Ｇ５Ｂは、両凸形状の正レンズＬ５３と両凹形状の負レンズＬ５４とから成る接合レンズと、両凸形状の正レンズＬ５５と物体側に凹面を向けた負メニスカスレンズＬ５６とから成る接合レンズで構成されており、全体として正の屈折力を有している。
【００８４】
また、広角端から望遠端への変倍に際しては、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３、前記第４レンズ群Ｇ４、前記第５レンズ群Ｇ５がそれぞれ独立に物体側へ移動する構成となっている。
【００８５】
続いて、以下に実施例２に係る大口径防振付きズームレンズの諸元値を示す。
数値実施例2
単位：mm
[面データ]
面番号            r              d         nd        vd     有効半径
物面                  ∞       (d0)
1              71.2736     1.5000    1.80809     22.76   31.36
2              52.7597    11.0215    1.72916     54.67   30.00
3             267.2931       (d3)                        28.89
4*              44.3356     1.0000    1.80139     45.45   15.07
5*              13.4467     8.7544                        11.34
6             -32.6777     1.0000    1.54814     45.82   10.94
7              19.4790     5.1801    1.84666     23.78   10.04
8             -81.2332     3.7608                         9.63
9             -25.3571     1.0000    1.90366     31.31    8.00
10             -72.4372      (d10)                         8.26
11（絞り）               ∞     2.0000                         6.71
12              33.3004     1.0000    1.80420     46.50    9.55
13              16.0886     5.0600    1.73077     40.50    9.61
14*           -110.3845     5.7554                         9.69
15             -80.2451     3.0878    1.77250     49.62   10.16
16             -25.4884     1.0000    1.80518     25.46   10.35
17              58.6132     5.2834    1.59282     68.62   10.89
18             -24.2061      (d18)                        11.22
19*             42.5921     3.2014    1.77250     49.50   10.94
20            -177.5602      (d20)                        10.85
21            1517.8695     2.1477    1.80518     25.46    9.90
22             -85.0000     0.8000    1.83481     42.72    9.82
23              32.2537     3.2454                         9.67
24              80.5859     2.4909    1.55032     75.50   10.10
25            -196.5603     5.3941    1.83400     37.34   10.27
26              47.5023     0.6546                        10.96
27              36.2699     5.7333    1.64769     33.84   11.49
28             -32.1451     1.0000    1.88300     40.80   11.65
29             -69.5416    13.9817                        11.93
30                   ∞     2.0000    1.51680     64.20   13.29
31                   ∞       (BF)
[非球面データ]
4面            5面           14面           19面
K                0.0000         0.0000         0.0000         0.0000
A4           8.38690E-06    3.56433E-07    1.64108E-05   -4.28814E-06
A6          -3.05196E-08   -1.39249E-08    3.74793E-09   -1.67464E-09
A8           6.07974E-11   -2.97407E-10    0.00000E+00    0.00000E+00
A10          0.00000E+00    0.00000E+00    0.00000E+00    0.00000E+00
[各種データ]
ズーム比              2.76
広角           中間           望遠
焦点距離             17.56          35.00          48.47
Fナンバー             2.92           2.92           2.92
全画角2ω            81.27          44.32          32.27
像高Y              13.49          14.20          14.20
レンズ全長           125.00         144.72         165.00
[可変間隔データ]
[無限遠]
広角           中間           望遠     
d0                   ∞             ∞             ∞ 
d3               1.0000        20.5429        36.6669
d10             16.7019         3.3510         1.0000
d18              5.2075         4.7275         5.7457
d20              4.0382         5.0709         3.9388
BF               1.0000        13.9755        20.5962
[４０倍距離]
d0             673.9402      1342.4952      1844.0798
d3               1.0000        20.5429        36.6669
d10             16.7019         3.3510         1.0000
d18              4.9606         4.3703         5.3036
d20              4.2851         5.4281         4.3809
BF               1.0000        13.9755        20.5962
[レンズ群データ]
群            始面         焦点距離
G1              1               136.52
G2              4               -15.82
G3             11                31.69
G4             19                44.75
G5A            21               -38.94
G5B            24                90.88
【実施例３】
【００８６】
図２７は、本発明の実施例３の大口径防振付きズームレンズのレンズ構成図である。
【００８７】
第１レンズ群Ｇ１は、物体側に凸面を向けた負メニスカスレンズＬ１１と物体側に凸面を向けた正メニスカスレンズＬ１２とから成る接合レンズで構成されており、全体として正の屈折力を有している。
【００８８】
第２レンズ群Ｇ２は、物体側に凸面を向けた負メニスカスレンズＬ２１と、両凹形状の負レンズＬ２２と両凸形状の正レンズＬ２３とから成る接合レンズと、物体側に凹面を向けた負メニスカスレンズＬ２４とで構成されており、全体として負の屈折力を有している。また、負メニスカスレンズＬ２１は両面が所定の非球面形状となっている。
【００８９】
第３レンズ群Ｇ３は、開口絞りＳと、両凸形状の正レンズＬ３１と、両凸形状の正レンズＬ３２と両凹形状の負レンズＬ３３と両凸形状の正レンズＬ３４とから成る３枚接合レンズとで構成されており、全体として正の屈折力を有している。また、正レンズＬ３１の像面側の面は所定の非球面形状となっている。
【００９０】
第４レンズ群Ｇ４は、両凸形状の正レンズＬ４１で構成され、全体として正の屈折力を有しており、無限遠方から至近へのフォーカシングに際し、光軸に沿って物体側に向かって移動する。また、正レンズＬ４１の物体側の面は所定の非球面形状となっている。
【００９１】
第５レンズ群Ｇ５は、物体側から順に負の屈折力の第５Ａレンズ群Ｇ５Ａと正の屈折力の第５Ｂレンズ群Ｇ５Ｂから構成されており、全体として負の屈折力を有している。第５Ａレンズ群Ｇ５Ａは、両凸形状の正レンズＬ５１と両凹形状の負レンズＬ５２とから成る接合レンズで構成され、全体として負の屈折力を有しており、光軸と垂直な方向に移動させることにより防振を行う。第５Ｂレンズ群Ｇ５Ｂは、物体側に凸面を向けた負メニスカスレンズＬ５３と、両凸形状の正レンズＬ５４で構成されており、全体として正の屈折力を有している。
【００９２】
広角端から望遠端への変倍に際しては、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３、前記第４レンズ群Ｇ４、前記第５レンズ群Ｇ５がそれぞれ独立に物体側へ移動する構成となっている。
【００９３】
続いて、以下に実施例３に係る大口径防振付きズームレンズの諸元値を示す。
数値実施例3
単位：mm
[面データ]
面番号            r              d         nd        vd     有効半径
物面                  ∞       (d0)
1              90.1206     1.5000    1.80809     22.76   32.34
2              65.3780     9.5853    1.72916     54.67   31.20
3             438.1744       (d3)                        30.38
4*              61.7879     1.0000    1.61881     63.85   17.25
5*              14.1406     9.5925                        12.48
6             -41.0348     1.8139    1.64769     33.84   12.08
7              18.8855     6.1095    1.84666     23.78   10.96
8             -72.7032     2.6786                        10.57
9             -27.3024     1.0000    1.90366     31.31    9.50
10             -60.9742      (d10)                         9.51
11（絞り）               ∞     2.0000                         6.93
12              30.2519     5.9039    1.58313     59.46    9.71
13*           -763.3227     6.1452                         9.82
14             166.1256     3.8737    1.77250     49.62   10.42
15             -31.4255     1.0000    1.80610     33.27   10.49
16              36.2704     6.1809    1.45860     90.19   10.71
17             -24.3929      (d17)                        11.01
18*             37.4881     3.2452    1.74330     49.33   10.71
19            -605.3606      (d19)                        10.59
20             232.9023     2.2000    1.80518     25.46   10.00
21             -80.0000     0.8000    1.83481     42.72    9.92
22              30.3494     3.6174                         9.78
23             121.3371     1.0000    1.92119     23.96   10.30
24              36.4420     1.9456                        10.47
25              34.8233     4.0037    1.80610     33.27   11.74
26            -208.1651    15.6763                        11.87
27                   ∞     2.0000    1.51680     64.20   13.29
28                   ∞       (BF)
[非球面データ]
4面            5面           13面           18面
K                0.0000         0.0000         0.0000         0.0000
A4           2.87384E-06   -6.51473E-06    1.81586E-05   -3.88442E-06
A6          -1.52627E-08   -2.15959E-08    1.65849E-08    1.51745E-09
A8           6.18212E-11   -3.03608E-10   -6.42106E-11   -3.79859E-11
A10         -5.09925E-14    0.00000E+00    1.97437E-13    1.33796E-13
[各種データ]
ズーム比              2.76
広角           中間           望遠
焦点距離             17.52          35.00          48.48
Fナンバー             2.91           2.92           2.92
全画角2ω            82.01          44.33          32.20
像高Y              13.49          14.20          14.20
レンズ全長           126.92         144.64         165.58
[可変間隔データ]
[無限遠]
広角           中間           望遠      
d0                   ∞             ∞             ∞ 
d3               1.0000        22.5031        40.9832
d10             22.2727         4.7508         1.0000
d17              4.6103         4.6688         6.2726
d19              5.1623         5.2264         4.9891
BF               1.0000        14.6153        19.4605
広角           中間           望遠
d0             671.4567      1342.1314      1843.8528 
d3               1.0000        22.5031        40.9832
d10             22.2727         4.7508         1.0000
d17              4.3380         4.2784         5.7805
d19              5.4346         5.6168         5.4811
BF               1.0000        14.6153        19.4605
[レンズ群データ]
[４０倍距離]
群            始面         焦点距離
G1              1               161.59
G2              4               -19.90
G3             11                35.10
G4             18                47.60
G5A            20               -41.21
G5B            23                98.06
【実施例４】
【００９４】
図４０は、本発明の実施例４の大口径防振付きズームレンズのレンズ構成図である。
【００９５】
第１レンズ群Ｇ１は、物体側に凸面を向けた負メニスカスレンズＬ１１と物体側に凸面を向けた正メニスカスレンズＬ１２とから成る接合レンズで構成されており、全体として正の屈折力を有している。
【００９６】
第２レンズ群Ｇ２は、物体側に凸面を向けた負メニスカスレンズＬ２１と、両凹形状の負レンズＬ２２と両凸形状の正レンズＬ２３とから成る接合レンズと、物体側に凹面を向けた負メニスカスレンズＬ２４とで構成されており、全体として負の屈折力を有している。また、負メニスカスレンズＬ２１は両面が所定の非球面形状となっている。
【００９７】
第３レンズ群Ｇ３は、開口絞りＳと、両凸形状の正レンズＬ３１と、物体側に凹面を向けた正メニスカスレンズＬ３２と両凹形状の負レンズＬ３３と両凸形状の正レンズＬ３４とから成る３枚接合レンズとで構成されており、全体として正の屈折力を有している。また、正レンズＬ３１の像面側の面は所定の非球面形状となっている。
【００９８】
第４レンズ群Ｇ４は、両凸形状の正レンズＬ４１で構成され、全体として正の屈折力を有しており、無限遠方から至近へのフォーカシングに際し、光軸に沿って物体側に向かって移動する。また、正レンズＬ４１の物体側の面は所定の非球面形状となっている。
【００９９】
第５レンズ群Ｇ５は、物体側から順に負の屈折力の第５Ａレンズ群Ｇ５Ａと正の屈折力の第５Ｂレンズ群Ｇ５Ｂから構成されており、全体として負の屈折力を有している。第５Ａレンズ群Ｇ５Ａは、両凸形状の正レンズＬ５１と両凹形状の負レンズＬ５２とから成る接合レンズで構成され、全体として負の屈折力を有しており、光軸と垂直な方向に移動させることにより防振を行う。第５Ｂレンズ群Ｇ５Ｂは、物体側に凹面を向けた正メニスカスレンズＬ５３と、両凸形状の正レンズＬ５４と両凹形状の負レンズＬ５５とから成る接合レンズと、両凸形状の正レンズＬ５６と物体側に凹面を向けた負メニスカスレンズＬ５７とから成る接合レンズで構成されており、全体として正の屈折力を有している。
【０１００】
広角端から望遠端への変倍に際しては、前記第１レンズ群Ｇ１と前記第２レンズ群Ｇ２の間隔は増大し、前記第２レンズ群Ｇ２と前記第３レンズ群Ｇ３の間隔は減少し、前記第３レンズ群Ｇ３、前記第４レンズ群Ｇ４、前記第５レンズ群Ｇ５がそれぞれ独立に物体側へ移動する構成となっている。
【０１０１】
続いて、以下に実施例４に係る大口径防振付きズームレンズの諸元値を示す。
数値実施例4
単位：mm
[面データ]
面番号           r              d         nd        vd     有効半径
物面                 ∞       (d0)                               
1              72.1607     1.5000    1.80809     22.76   31.93
2              51.3792    11.6592    1.72916     54.67   30.40
3             322.5686       (d3)                        29.36
4*             72.7899     1.0000    1.69350     53.20   15.73
5*             13.6877     8.5839                        11.45
6             -37.4558     1.0000    1.65844     50.85   11.03
7              18.7365     6.0000    1.92119     23.96   10.39
8             -82.5670     4.9020                        10.00
9             -22.6089     1.0000    1.92119     23.96    8.00
10            -54.4232      (d10)                         8.33
11（絞り）              ∞     2.0000                         6.73
12             39.5719     2.9170    1.77250     49.50    9.79
13*           -139.1311     4.9775                         9.86
14           -192.8210     2.9246    1.83481     42.72   10.27
15            -33.0352     1.0000    1.80610     33.27   10.38
16             36.6738     6.1646    1.45860     90.19   10.68
17            -21.6903      (d17)                        11.25
18*             41.7723     3.2713    1.74330     49.33   11.25
19           -138.6523      (d19)                        11.02
20            524.0461     2.2000    1.80518     25.46    9.90
21            -83.6244     0.8000    1.83481     42.72    9.79
22             41.0069     4.0067                         9.67
23           -132.0541     2.8755    1.55032     75.50   10.00
24            -33.6101     0.1500                        10.25
25            384.4470     3.3091    1.58913     61.25   10.37
26            -35.6874     4.9335    1.92119     23.96   10.42
27             60.1442     0.6546                        11.00
28             41.8009     6.7242    1.78472     25.72   11.42
29            -21.0908     1.0000    1.88300     40.80   11.51
30           -227.5962    12.9998                        11.84
31                  ∞     2.0000    1.51680     64.20   13.25
32                  ∞       (BF)
[非球面データ]
4面            5面           13面           18面
K                0.0000         0.0000         0.0000         0.0000
A4          8.80642E-06    3.66092E-08    1.62645E-05   -4.04639E-06
A6         -2.22853E-08   -6.95692E-09    1.24419E-08    6.52698E-09
A8          4.89571E-11   -1.42774E-10   -7.49325E-11   -5.59991E-11
A10         -3.65904E-14    0.00000E+00    1.39959E-13    2.45114E-13
[各種データ]
ズーム比             2.77
広角           中間           望遠
焦点距離            17.53          35.00          48.48
Fナンバー             2.92           2.92           2.92
全画角2ω            81.80          44.43          32.25
像高Y              13.49          14.20          14.20
レンズ全長          126.78         147.48         167.76
[可変間隔データ]
[無限遠]
広角           中間           望遠      
d0                  ∞             ∞             ∞ 
d3              1.0000        19.5881        35.1400
d10             15.3121         3.2345         1.0000
d17              5.1876         4.8229         6.4095
d19              3.7219         4.4257         3.3491
BF              1.0000        14.8593        21.3040
[４０倍距離]
広角           中間           望遠
d0            673.0908      1345.4158      1849.1587 
d3              1.0000        19.5881        35.1400
d10             15.3121         3.2345         1.0000
d17              4.9295         4.4397         5.9287
d19              3.9800         4.8089         3.8299
BF              1.0000        14.8593        21.3040
[レンズ群データ]
群           始面         焦点距離
G1             1               131.85
G2             4               -14.96
G3            11                33.37
G4            18                43.52
G5A            20               -52.28
G5B            23               133.34
【０１０２】
[条件式対応値]
条件式／実施例  1     2     3     4
(1)    EXP/SI     1.04  1.11  1.13  1.00
(2)   f4/|f5A|    0.87  1.15  1.15  0.83
(3)|(1-β5A)βr|  0.57  0.69  0.59  0.57
(4)    VI/SI      0.48  0.48  0.42  0.53
(5)  Z1wt/Z5Awt   1.89  2.04  2.09  2.02
(6)   f1/|f2|     8.49  8.63  8.12  8.81
(7)    f3/fw      2.12  1.80  2.00  1.90
(8)    f4/f3      1.11  1.41  1.36  1.30
【符号の説明】
【０１０３】
Ｇ１    第１レンズ群
Ｇ２    第２レンズ群
Ｇ３    第３レンズ群
Ｇ４    第４レンズ群
Ｇ５Ａ  第５Ａレンズ群
Ｇ５Ｂ  第５Ｂレンズ群
Ｓ      開口絞り
Ｆ      カメラ内フィルター
Ｉ      像面
【図１】
0006707987.tif 000003
【図２】
0006707987.tif 000004
【図３】
0006707987.tif 000005
【図４】
0006707987.tif 000006
【図５】
0006707987.tif 000007
【図６】
0006707987.tif 000008
【図７】
0006707987.tif 000009
【図８】
0006707987.tif 000010
【図９】
0006707987.tif 000011
【図１０】
0006707987.tif 000012
【図１１】
0006707987.tif 000013
【図１２】
0006707987.tif 000014
【図１３】
0006707987.tif 000015
【図１４】
0006707987.tif 000016
【図１５】
0006707987.tif 000017
【図１６】
0006707987.tif 000018
【図１７】
0006707987.tif 000019
【図１８】
0006707987.tif 000020
【図１９】
0006707987.tif 000021
【図２０】
0006707987.tif 000022
【図２１】
0006707987.tif 000023
【図２２】
0006707987.tif 000024
【図２３】
0006707987.tif 000025
【図２４】
0006707987.tif 000026
【図２５】
0006707987.tif 000027
【図２６】
0006707987.tif 000028
【図２７】
0006707987.tif 000029
【図２８】
0006707987.tif 000030
【図２９】
0006707987.tif 000031
【図３０】
0006707987.tif 000032
【図３１】
0006707987.tif 000033
【図３２】
0006707987.tif 000034
【図３３】
0006707987.tif 000035
【図３４】
0006707987.tif 000036
【図３５】
0006707987.tif 000037
【図３６】
0006707987.tif 000038
【図３７】
0006707987.tif 000039
【図３８】
0006707987.tif 000040
【図３９】
0006707987.tif 000041
【図４０】
0006707987.tif 000042
【図４１】
0006707987.tif 000043
【図４２】
0006707987.tif 000044
【図４３】
0006707987.tif 000045
【図４４】
0006707987.tif 000046
【図４５】
0006707987.tif 000047
【図４６】
0006707987.tif 000048
【図４７】
0006707987.tif 000049
【図４８】
0006707987.tif 000050
【図４９】
0006707987.tif 000051
【図５０】
0006707987.tif 000052
【図５１】
0006707987.tif 000053
【図５２】
0006707987.tif 000054